(57)【要約】      （修正有）【課題】長尺体に筒状に巻き付ける携行品固定具において、振動による固定位置および角度の変位を防ぎ十分な挟持力を保持できる新たな携行品固定具を提供する。【解決手段】携行品固定具は、第１面部分、第２面部分および第３面部分からなる三つ折の細長い基材シート７と、基材シートより硬い第１面挟持板１１及び第２面挟持板２１、第３面挟持板３１から構成される。更に第２面挟持板の上に第２面凸部分２２、第３面挟持板の上に第３面凸部分３２を備え、第２面と第３面の内側に長尺体８１を挟み第１面挟持板下端部の端面を第３面外側面ファスナー３５に暫定的に接合し、基材シートが可能な限り引っ張った状態になるようにした上で第１面内側面ファスナー１２と第３面外側面ファスナー３５を全面的に接合させる。第１面外側面ファスナー１３に携行品側面ファスナー９２と接合して携行品９１を固定する。【選択図】図１
2020031779.tif 000002
【特許請求の範囲】
【請求項１】
第１面部分、第２面部分および第３面部分からなる三つ折の細長い基材シート（700）と、長尺体に向く面を内側その反対面を外側として、前記第３面部分の外側と前記第１面部分の内側を着脱自在に接合して全体を偏平な筒状にするための接合要素と、携行品を取付けるための前記第１面部分の外側に設けた接合要素と、前記第２面部分および前記第３面部分の内側の基材シート（700）長手方向より小さく貼り付けられた第２面クッション部材（230）と第３面クッション部材（330）の更に内側に第２面滑り止め部材（240）と第３面滑り止め部材（340）と、を備えた、長尺体へ取付け可能な携行品固定具において
更に、前記第１面部分の基材シート長手方向より小さく、内側に貼り付けられた基材シートより硬い第１面挟持板（１１）と、前記第２面部分および前記第３面部分の基材シート（７）より硬い第２面挟持板（２１）と第３面挟持板（３１）から構成され、第１面挟持板下端部（１１ｂ）の端面が接合要素で被覆されていること、並びに当該第１面挟持板（１１）と基材シート（７）がそれぞれの基材シート上端部（７ａ）と第１面挟持板上端部（１１ａ）から、相互に所定範囲が貼り付けられていることを特徴とする、長尺体へ取付け可能な携行品固定具。
【請求項２】
前記第１面挟持板（１１）の長さの１／２以上の範囲にわたって基材シート（７）と貼り付けられた前記第１面挟持板（１１）を備えることを特徴とする、請求項１に記載の長尺体へ取付け可能な携行品固定具。
【請求項３】
前記第１面挟持板（１１）と前記第２面挟持板（２１）の間と前記第２面挟持板（２１）と前記第３面挟持板（３１）の間に所定の間隔を備えることを特徴とする、請求項１および２記載の長尺体へ取付け可能な携行品固定具。
【請求項４】
前記長尺体（８１）を前記第２面挟持板（２１）および前記第３面挟持板（３１）で挟持し、第２面部分内側と第３面部分内側を対向させたときに第２面凸部分（２２）の間に第３面凸部分（３２）が位置することを特徴とする、請求項１、２および３記載の長尺体へ取付け可能な携行品固定具。
【発明の詳細な説明】
【技術分野】
【０００１】
本発明は、長尺体へ取付け可能な携行品固定具に関する。より詳細には、長尺体であるバッグのベルトに携行品である携帯ライトを固定できる固定具に関する。
【背景技術】
【０００２】
先行文献、実登３０１７１１１では、従来の携行品固定具が示されており、これは表面部、裏面部および中折部からなる三つ折の基材シート及び接合要素からなり、表面部には携行品を取付けることができる構成となっている。全体を偏平な筒状にし、内側にクッション材と滑り止め部材を配して長尺体を挟持することができる。
【０００３】
ところが、当該携行品固定具では、装着者の振動による固定位置および角度の変位を防ぐ挟持力という点においては、未だ弱く装着者の要請に十分に応じきれていないのが現状である。
【先行技術文献】
【特許文献】
【０００４】
【特許文献１】特開２０１７−１８４８４９号公報
【特許文献２】実登３０１７１１１号公報
【発明の概要】
【発明が解決しようとする課題】
【０００５】
本発明は上記の現状に鑑み、装着者の振動による固定位置および角度の変位を防ぎ十分な挟持力を保持できる新たな携行品固定具を提供することを技術課題とするものである。
【課題を解決するための手段】
【０００６】
第１面部分、第２面部分および第３面部分からなる三つ折の細長い基材シート700と、長尺体に向く面を内側その反対面を外側として、前記第３面部分の外側と前記第１面部分の内側を着脱自在に接合して全体を偏平な筒状にするための接合要素と、携行品を取付けるための前記第１面部分の外側に設けた接合要素と、前記第２面部分および前記第３面部分の内側の基材シート700長手方向より小さく貼り付けられた第２面クッション部材230と第３面クッション部材330と、更に内側に第２面滑り止め部材240と第３面滑り止め部材340を備えた、長尺体へ取付け可能な携行品固定具において
さらに、前記第１面部分の基材シート7長手方向より小さく、内側に貼り付けられた基材シート7より硬い第１面挟持板１１と、前記第２面部分および前記第３面部分の基材シートより硬い第２面挟持板２１と第３面挟持板３１から構成され、第１面挟持板下端部１１ｂの端面が接合要素で被覆されていること、並びに当該第１面挟持板１１と基材シート７がそれぞれの基材シート上端部７ａと第１面挟持板上端部１１ａから、相互に所定範囲が貼り付けられていることを特徴とし、
さらに前記第１面挟持板１１の長さの略１／２以上の範囲にわたって基材シート７と貼り付けられた前記第１面挟持板１１を備え、また、前記第１面挟持板１１と前記第２面挟持板２１の間と前記第２面挟持板２１と前記第３面挟持板３１の間に所定の間隔を備えることを特徴とし、
さらには、前記長尺体８１を前記第２面挟持板２１および前記第３面挟持板３１で挟持し第２面部分内側と第３面部分内側を対向させたときに第２面凸部分２２の間に第３面凸部分３２が位置することを特徴とする、長尺体へ取付け可能な携行品固定具。
【発明の効果】
【０００７】
長尺体へ取付け可能な携行品固定具（以下、「本固定具」ともいう。）は、装着者の動きなどにより生ずる振動にも関わらず、本固定具の十分且つ安定した挟持力により、長尺体における本固定具の固定位置（斜めに固定する場合を含む。）や固定角度に変化が生じない。
携行品９１の荷重による本固定具の変形が小さく挟持力が低下しない。
【図面の簡単な説明】
【０００８】
【図１】本固定具の斜視図である。
【図２】図１の固定具の正面図である。
【図３】図２のＡ−Ａ切断線による端面図である。
【図４】図２のＢ−Ｂ切断線による端面図である。
【図５】図２の固定具の裏面図である。
【図６】先行技術の課題を示す説明図である。
【図７】自在な接合を示す説明図である。
【図８】本固定具の固定方法を示す説明図である。
【図９】長尺体を挟持したことを示す説明図である。
【図１０】柱状長尺体を挟持したときの説明図である。
【図１１】図２の変形例を示す3面図である。
【図１２】図２の変形例を示す平面図である。
【図１３】図２の変形例を示す平面図である。
【発明を実施するための形態】
【０００９】
図２では紙面の上下を本発明の上下方向、紙面左右を本発明の長手方向、第１面部分端部を上端部その反対を下端部とする。図３では紙面上下を本発明の厚み方向、紙面左右を本発明の長手方向とする。図１１では紙面左右を本発明の長手方向、図１１ａの上下を本発明の厚み方向、図１１ｂの上下を本発明の幅方向、図１１ｃの上下を本発明の幅方向とする。
【００１０】
公知の技術では長尺体との接触面積を多くし固定具を大型化させることで挟持力を確保しながらも、バッグのベルト等の柔軟性に対応できるよう第１面部分には第２面部分および第３面部分に近似した材質で柔軟性を持たせていた。
【００１１】
以下図６を参照に先行技術の課題を詳しく説明する。基材シート上端部側７００ａは第１面部分端部側を示す。第１面部分上端部１００ａは基材シート７００の長手方向で基材シート上端部７００ａ側を示す。第１面部分下端部１００ｂは基材シート７００の長手方向で基材シート上端部側７００ａと反対側を示す。
第２面部分上端部２１０ａは基材シート７００の長手方向で基材シート上端部７００ａ側を示す。第２面部分下端部２１０ｂは基材シート７００の長手方向で基材シート上端部側７００ａと反対側を示す。第３面部分上端部３１０ａは基材シート７００の長手方向で基材シート上端部７００ａ側を示す。第３面部分下端部３１０ｂは基材シート７００の長手方向で基材シート上端部側７００ａと反対側を示す。
【００１２】
第１面部分には挟持板が備わっておらず長尺体８１を第２面部分内側と第３面部分内側で挟持した後に第３面部分下端部３１０ｂ外側と第１面部分下端部１００ｂ内側を張設しながら順次第３面部分上端部３１０ａに向けて第１面部分上端部１００ａを接合させていた。第１面部分内側面ファスナー１２０全体を第１面部分内側に固定されていた。
【００１３】
さらには第１面部分と第２面部分の間隔と第２面部分と第３面部分の間隔をできるだけ狭くして２つ折りの丁番の働きを持つ構造としていた。クッション部材２３０、３３０を厚くし、また滑り止め部材２４０、３４０の使用による挟持力に頼っていた。
【００１４】
特許文献１では、図６を参照に固定具を長尺体８１に固定する場合、中折部（第３面部分）内側と裏面部（第２面部分）内側にある長尺体８１を二本の指で中折部（第３面部分）外側と裏面部（第２面部分）外側を挟むとき、中折部（第３面部分）内側中央および裏面部（第３面部分）内側中央に押圧力がかかる。固定具の上下方向に対しても指で挟んだ一部分のみに挟持力が働いていた。
しかも両端の中折部（第３面部分）下端部内側３１０ｂと裏面部（第２面部分）上端部内側２１０ａ内側および裏面部（第２面部分）下端部２１０ｂと中折部（第３面部分）上端部内側３１０ａの内側付近には押圧力がかからず、この部分に細いヒモ状の長尺体８１を固定すると挟持力が弱い。また、装着者の振動により長尺体８１が固定具の中央部より裏面部（第２面部分）上端部内側２１０ａと中折部（第３面部分）下端部内側３１０ｂの間または、裏面部（第２面部分）下端部２１０ｂと中折部（第３面部分）上端部内側３１０ａのどちらかヘの位置ずれにともない接触面積が、減少し挟持力が弱まっていた。
【００１５】
さらに、挟持力を強化するため第２面部分および第３面部分の材質を少し硬くすると図６を参照に裏面部（第２面部分）外側中央および中折部（第３面部分）外側中央を指で押圧した時に中折部（第３面部分）下端部３１０ｂおよび裏面部（第２面部分）上端部２１０ａの内側の間隔と、中折部（第３面部分）上端部３１０ａおよび裏面部（第２面部分）下端部２１０ｂの内側の間隔が広がり、このまま第１面内側面ファスナー１２０を第３面外側面ファスナー３５０に接合するため挟持力が弱いまま接合される。これを補う為、第１面部分上端部１００aを張設して固定していた。
重ねて、図６を参照に第１面内側面ファスナー１２０を第３面外側面ファスナー３５０に接合する瞬間、中折部（第３面部分）外側を押圧していた指を離すため、このとき基材シート第２面部分および基材シート第３面部分と第２面クッション材２３０および第３面クッション部材３３０の弾発性により押圧した力が解放されたまま第１面内側面ファスナー１２０を第３面外側面ファスナー３５０に接合していた。このため厚みが薄い、または長尺体８１の伸縮により厚みが薄くなった長尺体８１への挟持力が弱いまま接合および固定がなされてしまう。
【００１６】
また、接触面の拡大に向け固定具が大型化したり、挟持力を維持するため対応できる長尺体８１形状の範囲を狭く限定させたり、長尺体８１への巻き付けをする目的として初めから固定具が下降することを前提としている。よって未だに装着者の希望する挟持力が得られていない。
【００１７】
請求項１では図１〜５を参照に前記第１面部分の基材シート７長手方向より小さく、内側に貼り付けられた基材シート７より硬い挟持板１１と、前記第２面部分および前記第３面部分の基材シート７より硬い挟持板２１,３１から構成され、当該第１面部分の挟持板１１の他の端部１１ｂの端面が接合要素で被覆されていること、並びに当該第１面部分の挟持板１１と基材シート７がそれぞれの上端部１１ａ、７ａから、相互に所定範囲が貼り付けられている。    
【００１８】
さらには、図８を参照に基材シート７より硬い材質の挟持板１１,２１,３１を第１面、第２面および第３面のそれぞれの内側に備え、さらに第１面挟持板下端部１１ｂの端面まで接合要素が被覆されていることで第２面部分および第３面部分の内側で長尺体８１を挟んだ後、前記第１面挟持板下端部１１ｂの端面を第３面外側面ファスナー３５の下端部付近に接合することが出来る。      
【００１９】
これにより図７を参照に先行技術の課題であった第１面部分内側を第３面部分外側に接合する瞬間に第３面部分外側を押圧していた指を離しても、指を離す前の挟持力で保持することが出来る。
更には図８ａ，ｂ，ｃを参照に第１面挟持板１１の板厚分だけ第３面挟持板下端部３１ｂが第２面挟持板下端部２１ｂを基点に第２面挟持板上端部２１ａ方向に引き込まれることで第２面部分内側と第３面部分内側が狭くなり長尺体８１への挟持力が増すこととなる。    
【００２０】
さらに図７を参照に当該第１面部分の挟持板１１と基材シート７がそれぞれの上端部１１ａ、７ａから、相互に所定範囲が貼り付けられていることで基材シート接合部分１１ａｂを支点、基材シート上端部７ａ外側を力点、第１面挟持板下端部１１ｂの端面と第３面外側面ファスナー３５下端部３１ｂ付近の接合部分を作用点とするテコの作用を利用する。前記作用点の位置を自在にずらすことで長尺体８１の形状（厚み、幅、材質）に対応した固定具の締め付けを強くできる。    
【００２１】
請求項２では図８を参照に固定具の締め付けを、基材シート接合部分１１ａｂを支点としたテコの作用を利用しており、基材シート上端部７ａから基材シート接合部分１１ａｂの距離と、基材シート接合部分１１ａｂから第１面挟持板下端部１１ｂまでの距離の関係により第１面挟持板１１と基材シート７の貼り付けた所定の範囲で基材シート接合部分１１ａｂである支点の位置が決まる。よって１/２以下で貼り付けた場合、作用点にかかる力より力点にかかる力が大きくなり締め付けが重くなる。  
前記構造の支点を備えることで力点にかかる力が小さく固定操作が軽くなりつつ装着者の所望する挟持力を得ることができる。      
【００２２】
請求項３では図７を参照に前記第１面挟持板１１と前記第２面挟持板２１の間、および前記第２面挟持板２１と前記第３面挟持板３１の間に所定の間隔を備えることで長尺体８１の形状（厚み、幅、材質）に対応しつつ基材シート７の柔軟性を持つ丁番の機能を備える。例えば、長尺体８１の厚みが1ｍｍ幅50ｍｍの標準的なショルダーバッグのベルトであれば、前記第１面挟持板下端部１１ｂと前記第２面挟持板上端部２１ａの間、および前記第２面挟持板下端部２１ｂと前記第３面挟持板上端部３１ａの間に略５ｍｍの間隔を備える。
ただし長尺体８１の形状（厚み、幅、材質）に対応するもので、この寸法に限定されるものではない。これにより従来品に比べ長尺体８１の形状の範囲に広く対応しつつも装着者の所望する挟持力を備える。    
【００２３】
図9を参照に前記長尺体８１を前記第２面挟持板２１および前記第３面挟持板３１で挟持した時、前記長尺体８１を緩く嵌合しながら挟持する前記第２面凸部分２２および前記第３面凸部分３２を備える。各凸部分２２,３２は滑り止め部材の機能を有する。    
【００２４】
請求項４では図２を参照に第２面凸部分２２についてさらに説明する。基材シート７長手方向に第２面挟持板２１長手方向の長さ以下であり所定の厚みがある長尺部材である。前記長尺部材は複数本、第２面挟持板２１幅方向に所定の間隔で互いに平行に配置されている。第２面凸部分２２によって第２面挟持板２１幅方向に凹部と凸部が設けられている。第２面凸部分２２同士の間隔は凸部分２２の幅より広い。    
【００２５】
第３面凸部分３２について図２および図９を参照にさらに説明する。基材シート７長手方向に第３面挟持板３１長手方向の長さ以下であり所定の厚みがある長尺部材である。前記長尺部材は複数本、第３面挟持板３１幅方向に所定の間隔で互いに平行に配置されている。    
第２面部分内側と第３面部分内側を対向させたときに第２面凸部分２２の間に第３面凸部分３２が位置する。第２面凸部分２２と第３面凸部分３２の幅および厚みは等しい。第３面凸部分３２同士の間隔は凸部分３２の幅より広い。    
【００２６】
これにより第１面部分内側を第３面部分外側に接合する時、第２面凸部分２２が第３面凸部分３２のガイドレールの役割を備え、さらに第１面部分外側の携行品９１による荷重により第１面部内側と第３面部分外側がズレ動かないようになり第２面凸部分２２が第３面凸部分３２より外れにくくなる。図９に示すように第２面凸部分２２および第３面凸部分３２の角部にて長尺体８１が滑り動くことを防ぐ抵抗となる。凸部分２２、３２の形状は角部を有する断面となる。
【００２７】
薄い帯状長尺体８１または、ヒモ状長尺体８１であれば緩く嵌合した第２面凸部分２２と第３面凸部分３２に挟まれ各凸部分角部の摩擦と緩い嵌合による長尺体８１下方向に対する抵抗を生む。凸部分の断面としては三角以上の多角形であれば角部の摩擦がある。
【００２８】
さらにショルダーパットのように厚みがあり柔らかい長尺体８１に対して第２面凸部分２２と第３面凸部分３２が長尺体８１接触面に食い込んで挟持力を向上させている。さらには、第１面部分外側に携行品９１の荷重がかかった場合、第２面凸部分２２と第３面凸部分３２の緩い嵌合により第２面部分内側と第３面部分内側のズレを防ぎ挟持力の低下を抑え長尺体８１に張りがない状態においても装着者の所望する挟持力を得ることが出来る。            
【００２９】
以下、本発明を図１〜図５および図８を参照に説明する。本発明が適用された「長尺体８１に取付け可能な携行品固定具（以下「本固定具」という。）」は、従来の固定具の挟持力を顕著に改善する機能を有するものであり、基材シート７上に形成された第１面部分、第２面部分及び第３面部分から構成される。ここで、長尺体８１に向く面を内側その反対面を外側と定義する。
【００３０】
第１面部分については、基材シート７と内側の面に第１面挟持板１１がそれぞれの端部７ａ、１１ａから挟持板の長さの略１／２以上の範囲にわたって相互に貼り付けられている。また、第１面挟持板１１の内側の面全体と当該第１面挟持板１１の他の端部１１ｂの端面が接合要素で被覆される。当該第一面部分の外側に第１面外側面ファスナー１３が形成され、携行品９１を取り付けることができる。
【００３１】
第２面部分については、内側の面に第２面挟持板２１およびその上に第２面凸部分２２が形成される。第２面凸部分２２は、次に説明する第３面凸部分３２と緩やかに嵌合するように設けられる。
【００３２】
第３面部分については、内側の面に第３面挟持板３１およびその上に第３面凸部分３２が形成される。第３面凸部分３２は、前記の第２面凸部分２２と緩やかに嵌合するように設けられる。当該第３面部分の外側に第３面外側面ファスナー３５が形成され、第１面内側面ファスナー１２と接合することができる。
【００３３】
ベルト、ヒモ等の長尺体８１に本固定具を適用する場合、図７を参照に先ず第２面の内側と第３面の内側で長尺体８１を挟み、次に第１面挟持板下端部１１ｂの端面を、第３面外側面ファスナー３５に暫定的に接合し、基材シート７が可能な限り引っ張った状態になるようにしたうえで、第１面内側面ファスナー１２と第３面外側面ファスナー３５を全面的に接合させる。併設された挟持板の間での基材シート７は丁番の機能を備え柔軟で伸縮がない特徴にて長尺体８１の幅、厚み、形状に合わせた挟持板の形状を保持する。
【００３４】
基材シート上端部側７ａは第１面部分端部側を示す。
【００３５】
第１面挟持板１１は弾発性と所定の厚みのある板状で構成され第２面挟持板２１および第３面挟持板３１で長尺体８１を挟持した後、第３面挟持板下端部３１ｂを第２面挟持板上端部２１ａの方向にテコの作用にて第１面挟持板１１の厚み分、引き込んで張設する。
【００３６】
第１面挟持板上端部１１ａは第１面挟持板１１の基材シート７の長手方向で基材シート上端部側７ａを示す。
【００３７】
第１面挟持板下端部１１ｂは第１面挟持板１１の基材シート７の長手方向で基材シート上端部側７ａと反対側を示す。
【００３８】
第１面基材シート接合部１１ａｂは図７を参照に第１面部分の挟持板１１と基材シート７がそれぞれの端部７ａ、１１ａから、挟持板の長さの略１／２以上の範囲にわたって、相互に貼り付けられていることを示す。    
【００３９】
第１面内側面ファスナー１２は図３および図８を参照に第３面外側面ファスナー３５と接合するものであり、第１面挟持板下端部１１ｂ側端面まで被覆されており第１面挟持板下端部１１ｂと第３面挟持板下端部３１ｂとを接合したまま第１面内側を第３面外側に接合する。    
【００４０】
第１面外側面ファスナー１３は図１を参照に携行品側面ファスナー９２と接合することで携行品９１を固定でき、また携行品９１を交換して固定できる。    
【００４１】
第２面挟持板２１は本固定具の大きさと第２面凸部分２２の位置を決め弾発性があり板ばね作用を有する特徴を備え面全体で長尺体８１を挟み、第３面挟持板下端部３１ｂが第１面挟持板下端部１１ｂに引き込まれたとき基材シート７の形状を保つことで保持力を高める。さらには、第２面挟持板２１の基材シート７長手方向の寸法について、たとえばショルダーベルトの幅略１．４倍とすると肩掛けショルダーベルトは地面に対して略３０度の角度を有し、本固定具が地面とほぼ水平になる。ただし長尺体の形状によってこの寸法は決められ、これらに限定されるものではない。
【００４２】
第２面挟持板上端部２１ａは第２面挟持板２１の基材シート７の長手方向で基材シート上端部側７ａを示す。
【００４３】
第２面挟持板下端部２１ｂは第２面挟持板２１の基材シート７の長手方向で基材シート上端部側７ａと反対側を示す。        
【００４４】
第２面凸部分２２は図２および図９を参照に挟持板の柔軟性に対応しながら挟持力を向上させる特徴を備え、長尺体８１を交互に第３面凸部分３２と挟持する作用を持つ。第２面挟持板２１の板バネ作用の弾発性にてさらに本固定具の挟持力を向上させ、第２面凸部分２２角部にて長尺体８１を折るようにして第２面凸部分２２と長尺体８１との摩擦力を高める。    
【００４５】
第３面挟持板３１は図２、図４、および図９を参照に第３面凸部分３２の位置を決め、弾発性があり板ばね作用を特徴として第２面凸部分２２で長尺体８１を交互に緩く嵌合しながら挟持し第３面部分内側の面全体で長尺体８１を挟み長尺体８１と本固定具との摩擦力を高める。柱状長尺体８１を第２面挟持板２１と挟持したとき板バネ作用にて長尺体８１を屈設しながら挟み基材シート７にて巻張する。                
【００４６】
第３面挟持板上端部３１ａは第３面挟持板３１の基材シート７の長手方向で基材シート上端部側７ａを示す。
【００４７】
第３面挟持板下端部３１ｂは第３面挟持板３１の基材シート７の長手方向で基材シート上端部側７ａと反対側を示す。
【００４８】
第３面凸部分３２は図２,図４,および図９を参照に挟持板の柔軟性に対応しながら挟持力を向上させる特徴を備え、長尺体８１を第２面凸部分２２と交互に挟持し第２面凸部分２２の間隔の間に入る。また第３面挟持板３１の弾発性にてさらに挟持力を向上させ第３面凸部分３２角部が長尺体８１を折るようにし長尺体８１と本固定具の摩擦力を高める。
長尺体８１固定時に長尺体８１の荷重等による第２面内側と第３面内側のズレの発生を第２面凸部分２２と緩く嵌合する事で防止し挟持力を保持する。
【００４９】
第３面外側面ファスナー３５は図８を参照に第１面内側面ファスナー１２と接合し、全体を偏平な筒状にするために備わる。    
【００５０】
長尺体８１は柔軟性を有する帯、ヒモ状長尺体と柔軟性を有しない柱状長尺体などに分かれ具体的に帯状長尺体ではショルダーバッグのショルダーベルト部分を示し、ヒモ状長尺体は首下げ式ネームプレートのヒモ等を示す。柱状長尺体としては杖、傘の柄、または自転車、ベビーカー、シニアカーなどのフレーム部分を示すがこれらに限定されるものではない。
【００５１】
携行品９１は携行ライト、ポーチ、スマートフォンケース等を示すがこれらに限定されるものではない。
【００５２】
携行品側面ファスナー９２は第１面外側面ファスナー１３、第２面外側面ファスナー２５および外側面ファスナー７３と接合し、携行品９１の着脱および交換できることを示す。
【００５３】
帯状またはヒモ状長尺体８１の固定方法による作用を、図７および図８を参照に説明する。先行技術の課題であった長尺体８１を挟持している第３面部分外側を押圧している指を離しても挟持力が変わらないよう第１面挟持板下端部１１ｂ側の端面を第３面外側面ファスナー３５の第３面挟持板下端部３１ｂ付近に張設しながら接合する。
さらに図７ａ，７ｂでは上記接合されたまま第１面部分内側を第３面部分外側に接合するように倒す力を力点、基材シート接合部分１１ａｂを支点、第１面挟持板下端部１１ｂと第３面挟持板下端部３１ｂの接合面を作用点としたテコの作用を利用して第３面挟持板下端部３１ｂが第２面挟持板上端部２１ａ方向に引き込まれ、第２面挟持板下端部２１ｂを基点に第３面部分内側が第２面部分内側に寄り、その間隔が狭くなることで長尺体８１への挟持力となる。    
【００５４】
また、図７ｃでは厚みのある帯状長尺体８１の固定方法において第１面内側面ファスナー１２の第１面挟持板下端部１１ｂ内側を第３面外側面ファスナー３５の第３面挟持板下端部３１ｂ内側付近に張設しながら接合し、第１面挟持板１１の板バネ作用を利用するように第１面部分外側中央付近と第１面内側上端部１１ａ内側付近に指をかけて第１面挟持板１１を反らすように接合してから順次第１面内側面ファスナー１２と第３面外側面ファスナー３５を接合する。
【００５５】
柱状長尺体の固定方法を、図１０を参照に説明する。柱状長尺体８１に本固定具を取り付けたとき第２面挟持板２１および第３面挟持板３１の板バネ作用にて、指で第２面挟持板上端部２１ａ外側と第３面挟持板下端部３１ｂ外側を近接するよう押圧すると第２面挟持板上端部２１ａ外側と第３面挟持板下端部３１ｂ外側を力点、基材シート７の第２面挟持板下端部２１ｂと第３面挟持板上端部３１ａの間が支点、第２面挟持板２１内側中央および、第３面挟持板３１内側中央の長尺体８１との接触面が作用点となるテコの作用が発生し挟持力が増す。このまま第１面部分内側を第３面部分外側に張設したまま接合する。
【００５６】
挟持力の比較検討を説明する。挟持力の測定方法は空の２リットルペットボトルに水１００g単位の目盛りを表示し、各固定具を吊り下げられる吊具を備えて長尺体８１に固定する。空のペットボトルに水を注ぎ込み、固定具が長尺体８１の最初の固定位置より１０ｃｍ以上下降したときの水の重さを挟持力とする。（吊具+漏斗+空のペットボトルの重さは１３５ｇ）  帯状または、ヒモ状長尺体８１は下方に荷重がかかり張設した状態で固定具を取り付けた時に挟持力が高いため、本比較検討は比較基準が厳しい長尺体の下方に荷重をかけないこととした。
【００５７】
表１の説明を示す。実施例１は本固定具を示す。実施例２は本固定具の第２面挟持板２１の板厚を１．５倍とし挟持板の弾発力の変化にともなう挟持力の違いを示す。比較例１は特許文献１の固定具を示す。比較例２は特許文献２の市販されたショルダーベルト用パッドを示す。比較例３は市販されたカメラ用固定具を示す。比較例４は市販されたＬＥＤヘッドライト用ベルトを示す。表の数値は水の重量を示し単位をｇ（グラム）とする。
【表１】
2020031779.tif 000003
【００５８】
評価基準としては長尺体８１として細くて、薄く、張りがないと固定具が落下しやすい、などの比較基準とする条件が厳しかった首下げ式ネームプレートのヒモとした。
【００５９】
比較検討の結果、本実施例１および本実施例２では吊具+漏斗+空のペットボトルの重さ、１３５ｇ+水の重さ２００ｇの挟持力を得られ、比較例１〜４は吊具+漏斗+空のペットボトルの重さのみの１３５ｇで落下したことが判明した。市販の携行ライトの重量を１００ｇ、スマートフォンの本体重量１３０ｇとすると、比較例(先行技術)に比べて本発明が装着者の要請に十分応じる挟持力を得られることが確認できた。
【００６０】
第１面側基材シート７１は応用例で図１３を参照に第２面部分の基材シート７および第２面挟持板２１の代用として携行品固定部分が備わるとき、基材シート接合部分１１ａｂと第２面挟持板上端部２１ａの間に備えても良い。
【００６１】
第３面側基材シート７２は応用例で図１３を参照に第２面部分の基材シート７および第２面挟持板２１の代用として携行品固定部分が備わるとき、第２面挟持板下端部２１ｂに代わる携行品固定部分の端面と第３面挟持板上端部３１ａの間に備えても良い。
【００６２】
外側面ファスナー７３は図１１を参照にした応用例で基材シート７の代用として外側面ファスナー７３を備えることで本固定具の軽量化、小型化を目的として第２面外側に携行品９１を固定しても良い。
【００６３】
各面に備わる挟持板は樹脂製があげられる。応用例としてゴム、木材、金属、炭素繊維、紙がある。凸部分はゴム製があげられる。応用例として樹脂、木材、金属、炭素繊維、紙がある。各構成要素は両面テープにて固定される。応用例として縫製、接着がある。これらの材質、形状、固定方法は各長尺体に対応する所定のものであり、これらに限定されるものではない。
【００６４】
応用例として携行品側面ファスナー９２と接合する第２面外側面ファスナー２５を第２面部分外側に備えることで第２面部分に携行品９１を固定でき、または携行品９１を交換して固定しても良い。
【００６５】
応用例として第２面凸部分２２、第３面凸部分３２の形状は角部を有する断面となるが所望する挟持力を得られるのであればキズ等を防ぐ丸状でも良い。
【００６６】
応用例として図１２を参照に第１面部分を携行品固定部分に変えて携行品固定部分外側の基材シート接合部分１１ａｂと同じ位置に基材シート上端部７ａを接合しても良い。また、携行品固定部分内側下端部の端面まで第１面内側面ファスナー１２を備えても良い。
【００６７】
応用例として第１面内側面ファスナー１２は第１面挟持板下端部１１ｂの端面より、さらに第１面挟持板下端部１１ｂ内側の基材シート接合部分１１ａｂまでの所定の位置まで備わっても良い。
【００６８】
実施例として本固定具は長尺体どうしの結束に使用しても良い。
【００６９】
応用例として第２面凸部分２２および第３面凸部分３３の形状は複数の円形の突起が所定の間隔で配置されていても良い。
【００７０】
応用例として第１面挟持板１１の長さの１／２以下の範囲にわたって基材シート７と貼り付けられて第１面挟持板１１を備えても良い。
【００７１】
応用例として第１面部分、第２面部分および第３面部分の長手方向の長さが異なっていても良い。また、第１面部分に対する第２面部分および第３面部分の長さに応じて各挟持板の貼り付け範囲および貼り付け位置を変更しても良い。さらに第１面挟持板１１、第２面挟持板２１および第３面挟持板３１の長手方向の長さは適宜変更されても良い。
【００７２】
実施例としてフィルムのように薄い帯状長尺体８１を挟持するとき、第２面部分内側と第３面部分内側を対向させ第２面凸部分２２の間に第３面凸部分３２が位置する形態において、第３面挟持板下端部３１ｂの端面が第２面挟持板上端部２１ａの端面と同じ位置としても良い。
【００７３】
応用例として第２面部分および第３面部分内側に第２面凸部分２２,第３面凸部分３２を設けたが、例えばゴム製シートなどを滑り止め部材としても良い。
【００７４】
応用例として第１面挟持板１１,第２面挟持板２１,第３面挟持板３１の形状は長尺体８１に合った所定の形状としても良い。
【００７５】
応用例として断面の少なくとも一部が直線である第２面および第３面に備わる第２面凸部分２２,第３面凸部分３２としても良い。
【００７６】
応用例として第２面挟持板２１および第３面挟持板３１の内側に第２面および第３面凸部分の作用を有する一体成形とされた各凸部分を設けても良い。
【００７７】
応用例として第１面部分の上端部外側と第２面部分の下端部外側を接合することで、本固定具を長尺体に固定したとき第１面部分が第３面部分から離れにくくしても良い。
【００７８】
応用例として第３面外側面ファスナー３５が第３面部分の基材シート７下端部および第３面挟持板下端部３１ｂの端面まで被覆されるように備わってもよい。
【００７９】
応用例として第１面内側面ファスナー１２と第３面外側面ファスナー３５にて着脱させているが着脱せずに固定するのであれば両面テープ、接着、溶接としてもよい。固定に関してはこれらに限定されるものではない。
【００８０】
応用例として長尺体が同じ形状であれば第３面挟持板下端部３１ｂの端部を外側に曲げ、所定の形状にして第１面挟持板下端部１１ｂと接合してもよい。さらに第１面部分下端部１１ｂの端部を外側に曲げ、所定の形状にして前記第３面挟持板下端部３１ｂの端部と係止し第３面部分外側と第１面部分内側を接合してもよい。ただし係止の方法はこれに限定されるものではない。
【００８１】
実施例として第１面部分外側または、第２面部分外側を壁等に固定し長尺体を固定してもよい。
【００８２】
応用例として第2面部分下端部２１ｂ外側に備わり第１面部分上端部１１ａ外側との接合要素を設けて、長尺体を挟持し第３面部分外側と第１面部分内側を接合した後、面ファスナーの特性である第３面部分外側と第１面部分内側の接合面の外れ防止としても良い。
【符号の説明】
【００８３】
７       基材シート
７ａ     基材シート上端部
１１     第１面挟持板       
１１ａ   第１面挟持板上端部
１１ｂ   第１面挟持板下端部
１１ａｂ 基材シート接合部分
１２     第１面内側面ファスナー
１３     第１面外側面ファスナー
２１     第２面挟持板
２１ａ   第２面挟持板上端部
２１ｂ   第２面挟持板下端部
２２     第２面凸部分
２５     第２面外側面ファスナー
３１     第３面挟持板
３１ａ   第３面挟持板上端部
３１ｂ   第３面挟持板下端部
３２     第３面凸部分
３５     第３面外側面ファスナー
７１     第１面側基材シート
７２     第３面側基材シート
７３     外側面ファスナー
８１     長尺体
９１     携行品
９２     携行品側面ファスナー
700      基材シート
700ａ    基材シート上端部
100ａ    第１面部分上端部
100ｂ    第１面部分下端部
120      第１面内側面ファスナー
210ａ    第２面部分上端部
210ｂ    第２面部分下端部
230      第２面クッション部材
240      第２面滑り止め部材
310ａ    第３面部分上端部
310ｂ    第３面部分下端部
330      第３面クッション部材
340      第３面滑り止め部材
350      第３面外側面ファスナー
【図１】
2020031779.tif 000004
【図２】
2020031779.tif 000005
【図３】
2020031779.tif 000006
【図４】
2020031779.tif 000007
【図５】
2020031779.tif 000008
【図６】
2020031779.tif 000009
【図７】
2020031779.tif 000010
【図８】
2020031779.tif 000011
【図９】
2020031779.tif 000012
【図１０】
2020031779.tif 000013
【図１１】
2020031779.tif 000014
【図１２】
2020031779.tif 000015
【図１３】
2020031779.tif 000016
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
第１面部分、第２面部分および第３面部分からなる三つ折の細長い基材シート（700）と、
長尺体に向く面を内側として、その反対面を外側として、前記第３面部分の外側と前記第１面部分の内側を着脱自在に接合して全体を偏平な筒状にするための、前記第１面部分の内側に設けられた第１面内側面接合要素（１２）、及び、前記第３面部分の外側に設けられた、前記第１面内側面接合要素と接合可能な第３面外側面接合要素（３５）と、
携行品を取付けるための、前記第１面部分の外側に設けた第１面外側面接合要素、及び、前記第２面部分の外側に設けた第２面外側面接合要素の少なくとも一方と、
前記第２面部分および前記第３面部分の内側の基材シート（700）長手方向より小さく貼り付けられた第２面クッション部材（230）と第３面クッション部材（330）の更に内側に第２面滑り止め部材（240）と第３面滑り止め部材（340）と、を備え、
前記第２面部分と前記第３面部分で前記長尺体を挟持して前記長尺体へ取付け可能な携行品固定具において、
更に、前記第１面部分の基材シート長手方向より小さく、前記第１面部分の内側に貼り付けられた基材シートより硬い第１面挟持板（１１）と、
前記第２面部分および前記第３面部分の基材シート（７）より硬い第２面挟持板（２１）と第３面挟持板（３１）から構成され、
第１面挟持板下端部（１１ｂ）の端面が前記第１面内側面接合要素で被覆され、
当該第１面挟持板（１１）と基材シート（７）がそれぞれの基材シート上端部（７ａ）と第１面挟持板上端部（１１ａ）から、相互に所定範囲が貼り付けられ、
前記第１面挟持板（１１）と前記第２面挟持板（２１）との間に所定の間隔を備えており、
前記第１面挟持板下端部（１１ｂ）の端面と前記第３面外側面接合要素（３５）の下端部とを接合させ、その接合部分を作用点とし、
前記第１面挟持板と前記基材シートとが張り付けられた基材シート接合部分（１１ａｂ）を支点とし、
前記第１面部分の内側を前記第３面部分の外側に接合させるように倒す力を力点とするテコの作用を利用することが可能である、長尺体へ取付け可能な携行品固定具。
【請求項２】
前記第１面挟持板（１１）の長さの１／２以上の範囲にわたって基材シート（７）と貼り付けられた前記第１面挟持板（１１）を備えることを特徴とする、請求項１に記載の長尺体へ取付け可能な携行品固定具。
【請求項３】
前記第２面挟持板（２１）と前記第３面挟持板（３１）との間に所定の間隔を備えることを特徴とする、請求項１および２記載の長尺体へ取付け可能な携行品固定具。
【請求項４】
前記長尺体（８１）を前記第２面挟持板（２１）および前記第３面挟持板（３１）で挟持し、第２面部分内側と第３面部分内側を対向させたときに第２面凸部分（２２）の間に第３面凸部分（３２）が位置することを特徴とする、請求項１、２および３記載の長尺体へ取付け可能な携行品固定具。